(57)【特許請求の範囲】
【請求項１】
夜間となっても、所定温度以上であれば、その開花状態を維持でき、
当該所定温度は５〜１５℃であり、
受託番号ＦＥＲＭ  ＢＰ−２２３３５で特定されるデロスペルマ、又はその後代系統である、ことを特徴とするデロスペルマ。
【請求項２】
前記夜間とは、昼間の明るさから照度が１ルクス以下に漸減した空間である、ことを特徴とする請求項１に記載のデロスペルマ。
【請求項３】
前記開花状態を維持する花の割合は、デロスペルマ一株における花数の内の少なくとも２割以上の花である、ことを特徴とする請求項１又は２に記載のデロスペルマ。
【請求項４】
前記開花状態を維持する花の割合は、デロスペルマ一株における花数の内の少なくとも４割以上の花である、ことを特徴とする請求項１又は２に記載のデロスペルマ。
【請求項５】
前記デロスペルマは、さらに、雄蕊が無い、ことを特徴とする請求項１乃至４のいずれか一項に記載のデロスペルマ。
【請求項６】
前記デロスペルマは、雌しべが自家及び他家からの花粉を受けても種子ができない雌性不稔の性質を有する、ことを特徴とする請求項１乃至５のいずれか一項に記載のデロスペルマ。
【請求項７】
前記デロスペルマの根は、塊根性ではない、ことを特徴とする請求項１乃至６のいずれか一項に記載のデロスペルマ。
【請求項８】
前記請求項１乃至７のいずれか一項に記載のデロスペルマの品種の花粉、卵子、細胞、及び種子のいずれかを利用して再生して前記特徴を有する、ことを特徴とするデロスペルマ。
【請求項９】
前記請求項１乃至７のいずれか一項に記載のデロスペルマの品種の花粉、卵子、細胞、及び種子のいずれかを利用して再生して前記特徴を有するデロスペルマを生産する、ことを特徴とするデロスペルマの生産方法。
【発明の詳細な説明】
【技術分野】
【０００１】
本発明は、従来にない開花生理を有するデロスペルマ、及びその生産方法に関するものである。
【背景技術】
【０００２】
デロスペルマはツルナ科に属しており、主にアフリカ南部原産であり、その属名は、ギリシア語のｄｅｌｏｓ（目立つ、の意味）とｓｐｅｒｍａ（種子の意味）に由来している。デロスペルマは、多年草、葉は厚みがある多肉植物であり、茎は横方向に伸びて広がり、また、乾燥に強く耐寒性があるため、日本においては露地植え、花壇や景観目的で広く栽培されている。【０００３】
デロスペルマの花は、ヒナギクに似て通常小柄だが、鮮やかな花を多数つけるものがあり、また、一部の種は春に開花し冬の初めまで咲く。例えば、デロスペルマの一種コンゲスタム（Ｄｅｌｏｓｐｅｒｍａ  ｃｏｎｇｅｓｔｕｍ）は黄色の鮮やかな花が咲き、厚みがある濃緑色の葉がつき、群生して徐々に広がる特性を有する。また、デロスペルマ・クーペリ（Ｄｅｌｏｓｐｅｒｍａ  ｃｏｏｐｅｒｉ：一般名が花嵐山、麗晃）は、ピンク色から深紅色の花が咲き、枝が密集した多年生植物で、広がりは早く宿根草になる。【０００４】
また、デロスペルマによく似た属にランプランタスがあるが、これは開花期間が短く、春に短期間開花するのみで、寒さに弱く耐寒性がないためにデロスペルマとは容易に区別される。【０００５】
本願の発明者は、既にデロスペルマの数多くの新品種を育種し、米国において数多くのデロスペルマに関する植物特許を有している（例えば、特許文献１〜１５など参照）。例えば、本願の発明者が育種したデロスペルマの新品種の系統名（ｖａｒｉｅｔａｌ  ｄｅｎｏｍｉｎａｔｉｏｎ）は、特許文献１では“Ｊｅｗｅｌ  ｏｆ  Ｄｅｓｅｒｔ  Ｒｏｓｅｑｕａｒｔｓ”、特許文献２では｀Ｊｅｗｅｌ  ｏｆ  Ｄｅｓｅｒｔ  Ｒｕｂｙ｀、特許文献３では｀Ｊｅｗｅｌ  ｏｆ  Ｄｅｓｅｒｔ  Ｇａｒｎｅｔ｀、特許文献４では｀Ｊｅｗｅｌ  ｏｆ  Ｄｅｓｅｒｔ  Ｍｏｏｎ  Ｓｔｏｎｅ｀、特許文献５では｀Ｊｅｗｅｌ  ｏｆ  Ｄｅｓｅｒｔ  Ｔｏｐａｚ｀、特許文献６では｀Ｊｅｗｅｌ  ｏｆ  Ｄｅｓｅｒｔ  Ｐｅｒｉｄｏｔ｀、特許文献７では｀ＷＯＷ（Ｗｈｅｅｌｓ  ｏｆ  Ｗｏｎｄｅｒ）ＤＲＷ５｀、特許文献８では｀ＷＯＷＤＲＷ７｀、特許文献９では｀ＷＯＷＤＯＹ３｀、特許文献１０では｀ＷＯＷＤＡＹ２｀、特許文献１１では｀ＷＯＷ２０１１−１｀、特許文献１２では｀ＷＯＷＤＲＹ１｀、特許文献１３では｀ＤＳＡＭ１３−１｀、特許文献１４では｀ＤＳＡＡ１３−１｀、特許文献１５では｀ＤＳＡＢ１３−１｀と名付けられている。なお、デロスペルマの“Ｊｅｗｅｌ  ｏｆ  Ｄｅｓｅｒｔ”は、「砂漠の宝石（登録商標）」として日本では商標登録されている。【０００６】
また、本願の発明者は、これらデロスペルマの新品種を、内外の複数の企業に提供しているものである（非特許文献１，２，３のカタログなど参照）。
【先行技術文献】
【特許文献】
【０００７】
【特許文献１】米国植物特許第２３，４５２号明細書
【特許文献２】米国植物特許第２３，４５３号明細書
【特許文献３】米国植物特許第２３，４７１号明細書
【特許文献４】米国植物特許第２３，４９１号明細書
【特許文献５】米国植物特許第２３，４９２号明細書
【特許文献６】米国植物特許第２３，５６６号明細書
【特許文献７】米国植物特許第２５，５７２号明細書
【特許文献８】米国植物特許第２５，５９９号明細書
【特許文献９】米国植物特許第２５，６００号明細書
【特許文献１０】米国植物特許第２５，６４５号明細書
【特許文献１１】米国植物特許第２５，６８４号明細書
【特許文献１２】米国植物特許第２６，１５７号明細書
【特許文献１３】米国植物特許第２７，０１３号明細書
【特許文献１４】米国植物特許第２７，０１４号明細書
【特許文献１５】米国植物特許第２７，０５６号明細書
【非特許文献】
【０００８】
【非特許文献１】“デロスペルマ、Ｄｕｍｍｅｎ”［平成２８月１２月８日検索］、インターネット＜ＵＲＬ：ｈｔｔｐｓ：／／ｉｓｓｕｕ．ｃｏｍ／ｄｕｍｍｅｎｏｒａｎｇｅ／ｄｏｃｓ／２０１７＿ｃａｔａｌｏｇ＿ｌｒ＿ｐｅｒｅｎｎｉａｌｓ＞
【非特許文献２】“砂漠の宝石、デロスペルマ”［平成２８月１２月８日検索］、インターネット＜ＵＲＬ：ｈｔｔｐ：／／ｗｗｗ．ｄｅｌｏｓｐｅｒｍａ．ｃｏｍ／ｊｅｗｅｌｏｆｄｅｓｅｒｔ／ｊａｐａｎｅｓｅ．ｈｔｍｌ＞
【非特許文献３】“Ｐｒｏｖｅｎ  ｗｉｎｎｅｒｓ、Ｗｈｅｅｌｓ  ｏｆ  Ｗｏｎｄｅｒ”［平成２８月１２月８日検索］、インターネット＜ＵＲＬ：ｈｔｔｐｓ：／／ｗｗｗ．ｓｏｏｎｅｒｐｌａｎｔｆａｒｍ．ｃｏｍ／ｐｌａｎｔ／ｉｃｅ−ｐｌａｎｔ−ｗｈｅｅｌｓ−ｏｆ−ｗｏｎｄｅｒ−ｆｉｒｅ−ｗｏｎｄｅｒ／＞
【発明の概要】
【発明が解決しようとする課題】
【０００９】
次に、従来のデロスペルマの開花生理に関して説明する。デロスペルマは、乾燥に強い砂漠の植物であるため、昼間に強い光を浴びて開花し、夜は厳しい砂漠の気候（厳しい寒さや結露など）から花を守るために花を閉じる。別の言い方をすると、デロスペルマは、一般に夕方少し暗くなると花が閉じ、夜間は花が閉じたままとなり、朝方になってはっきりと明るくなるまで花が開かない。例えば、これは季節や地域にもよるが、晴天日でも開花時間が遅く、朝方９時や１０時ごろに花が開き、夕方３時ごろにまた花が閉まることがしばしば見受けられる。また、雨や、曇りの日は一日中花が閉じていることも多い。【００１０】
このような開花生理を有するため、従来のデロスペルマの問題点として、花を販売する店舗では花が閉じた状態となっていることが多いことである。具体的には、従来のデロスペルマでは、花を売っている店頭の照明などでは必要な光の強さや温度が得られず花が開かずに閉じたままとなり、また、たとえ開花を始めたとしても午後３時頃にはまた閉じてしまう。さらに、建物の陰や、室内に置かれた場合、デロスペルマは十分な光や温度が得られず開花さえしないケースがある。【００１１】
このため、花を楽しむことを目的とするデロスペルマでは、その花自体は図２０に示すように非常にカラフルで魅力的にも関わらず、何より店頭での販売中に花が閉じていると良いイメージを得られずに商品価値を著しく損ねる。また、消費者が店舗で実際に花の特徴を確認できない。この結果、デロスペルマの小売りでの販売が促進されない、売り上げに繋がらない。従って、花が温度や日射量などの天候に左右される事がなく開花した状態を維持できればデロスペルマの商品価値は飛躍的に上がることが容易に予測できる。【００１２】
本発明は、上記課題に鑑みてなされたものであり、開花時間のより長いデロスペルマ、より具体的には、夜間になっても開花状態を維持するデロスペルマ、及びその生産方法を提供することを目的とする。
【課題を解決するための手段】
【００１３】
上記目的を達成するために本発明は、夜間となっても、所定温度以上であれば、その開花状態を維持でき、当該所定温度は５〜１５℃であり、受託番号ＦＥＲＭ  ＢＰ−２２３３５で特定されるデロスペルマ、又はその後代系統であることを特徴とするデロスペルマである。
【００１７】
また、このデロスペルマにおいて、前記夜間とは、昼間の明るさから照度が１ルクス以下に漸減した空間であることが好ましい。【００１８】
また、このデロスペルマにおいて、前記開花状態を維持する花の割合は、デロスペルマ一株における花数の内の少なくとも２割以上の花であることが好ましい。【００１９】
また、このデロスペルマにおいて、前記開花状態を維持する花の割合は、デロスペルマ一株における花数の内の少なくとも４割以上の花であるであることが好ましい。【００２０】
また、このデロスペルマにおいて、さらに、雄蕊が無いことが好ましい。【００２１】
また、このデロスペルマにおいて、雌しべが自家及び他家からの花粉を受けても種子ができない雌性不稔の性質を有することが好ましい。【００２２】
また、このデロスペルマにおいて、その根は、塊根性ではないことが好ましい。【００２６】
上記目的を達成するために本発明は、上記デロスペルマの品種の花粉、卵子、細胞、及び種子のいずれかを利用して再生して前記特徴を有する、ことを特徴とするデロスペルマである。
【００２７】
上記目的を達成するために本発明は、上記デロスペルマの品種の花粉、卵子、細胞、及び種子のいずれかを利用して再生して上記特徴を有するデロスペルマを生産する、ことを特徴とするデロスペルマの生産方法である。
【００２８】
本発明に係るデロスペルマによれば、夜間となっても、所定温度以上であれば、その開花状態を維持でき、当該所定温度は例えば１５℃である。従って、本願発明に係るデロスペルマは、従来のデロスペルマより開花時間が長いものとなる。
【図面の簡単な説明】
【００２９】
【図１】本発明の実施の形態１に係るデロスペルマの開花時の花の写真図である。
【図２】同上デロスペルマの開花時の花の写真図である。
【図３】同上デロスペルマの開花時の花の写真図である。
【図４】同上デロスペルマの開花時の花の写真図である。
【図５】同上デロスペルマ及び従来のデロスペルマの開花時の花の写真図である。
【図６】（ａ）及び（ｂ）同上デロスペルマ及び従来品種のデロスペルマの開花時の花の写真図である。
【図７】同上実施の形態１の実施例１に係るデロスペルマの交配育種の手順を示すフローチャートである。
【図８】（ａ）〜（ｆ）バイオトロンを説明するための写真図である。
【図９】同上実施の形態１の実施例３に係るデロスペルマの開花時の花の写真図である。
【図１０】（ａ）〜（ｃ）同上実施例３に係るデロスペルマの開花時の花の写真図、（ｄ）当該デロスペルマの開花割合を示す表である。
【図１１】同上実施の形態１の実施例４に係るデロスペルマの開花時の花の写真図である。
【図１２】同上デロスペルマの開花時の花の写真図である。
【図１３】同上デロスペルマの開花時の花の写真図である。
【図１４】同上デロスペルマの開花時の花の写真図である。
【図１５】同上実施の形態１の実施例５に係るデロスペルマの開花時の花の写真図である。
【図１６】（ａ）サザランの花、（ｂ）及び（ｃ）サザランの根の部分の写真図である。
【図１７】（ａ）花長谷の花、（ｂ）花長谷の根の部分の写真図である。
【図１８】（ａ）本発明の実施の形態２に係るデロスペルマの開花時の花の写真図、（ｂ）同上デロスペルマの断面の写真図である。
【図１９】同上デロスペルマの開花時の花の写真図である。
【図２０】（ａ）及び（ｂ）従来のデロスペルマ“１５−ｔａｉ−１”及び“ＷＯＷ（Ｗｈｅｅｌｓ  ｏｆ  Ｗｏｎｄｅｒ）ＤＲＷ５”の開花時の花の写真図である。
【発明を実施するための形態】
【００３０】
（実施の形態１）
以下、本実施の形態１に係るデロスペルマを図１〜図１７を参照しながら説明する。一般的に、デロスペルマは、強い光と高い温度があれば花が開きやすい。つまり、デロスペルマの花の開閉は光の強さと温度の影響を強く受ける。本願発明では、昼間だけでなく、夜間の暗闇のように光が無い条件下において、更に比較的低温（例えば５〜１５℃）となってもその花が開花状態を維持できるデロスペルマの新品種を発明した。
【００３１】
より具体的には、本願の発明者は、デロスペルマの種子を播種し、交配と選抜を繰り返す過程で、開花時間が従来のデロスペルマより長い開花特性（例えば、所定温度以上であれば夜間になってもその開花状態を維持など）を有するデロスペルマの植物系統を得た。図１〜図４に示す本実施の形態１に係るデロスペルマ１は、夜間になっても所定温度あればその花が閉じずに開花状態を維持する。また、図５は、夕方６時頃の写真であり、本実施の形態１に係るデロスペルマ１は開花状態を維持する一方、従来品種のデロスペルマ２はほぼ全ての花が閉じていることが分かる。
【００３２】
また、図６（ａ）及び図６（ｂ）に示すデロスペルマ２は、夕方・夜間になると花が閉じてしまう、又は夜が明けて朝方になっても未だに開花をしていない一般品種を示している。一方、本実施の形態１に係るデロスペルマ１は夕方・夜間になっても所定温度以上あればその花を閉じない、又は朝方に開花していることが分かる。
【００３３】
なお、本実施の形態１の説明において「夜間」とは、昼間の明るさから照度が１ルクス以下に漸減した空間を意味し、「ルクス（ｌｘ）」とは、照度の単位であり、光源から発した光が、照射対象の植物（デロスペルマ）に当たった明るさを数値化したものである。
【００３４】
また、本実施の形態１の説明においてデロスペルマの花の「開花」とは、例えば、花弁が完全に閉じてから完全に開くまでの開度を１００％とした場合、その花弁の開度がおおよそ５０％以上の状態の花を含む概念である。というのも、開きかけた途中の状態（例えば５０％程度開いた状態）で止まり、花が開ききる状態にならないこともあるため「開花」に上記概念を含める必要性がある。
【００３５】
また、通常、デロスペルマは一株で多数の花を有し、デロスペルマの「開花状態」とは、当該一株の有する全ての花が開いている状態を意味するものではなく、一定割合以上の花が開いている概念を含むものである。というのも、閉じた花が開く動作は植物の成熟度、植物の大きさ、温度、光の強さ、品種特性などで速度が変わり、花が開く条件（主に温度と光）に達した後、３０分程度で速やかに開花する場合もあれば、６時間以上の長時間かかって開花する事もある。さらに、通常、花の蕾というものは経時的に次から次に発生するものであり、新しい花と寿命に近づいた古い花とでは温度や光に対する影響の受け方が異なるためである。
【００３６】
なお、本発明に係るデロスペルマは、例えば、受託番号ＦＥＲＭ  ＢＰ−２２３３５で特定されるメリクロン苗の状態で寄託されたデロスペルマ、その後代系統、当該デロスペルマの兄弟品種（交雑種）、又はその兄弟品種から得た後代系統が挙げられる。寄託の情報を以下に示す。
寄託の種類：国際寄託
寄託機関名：独立行政法人製品評価技術基盤機構  特許生物寄託センター
住所：日本国  〒２９２−０８１８  千葉県木更津市かずさ鎌足２−５−８  １２０号室
受託番号：ＦＥＲＭ  ＢＰ−２２３３５
識別のための表示：ＮＩＳＨＩＫＡＷＡ１
受領日：２０１７年６月１日
【００３７】
本実施の形態１は、デロスペルマの新品種に関し、特に植物学的にラテン名で、デロスペルマ・クーペリ（Ｄｅｌｏｓｐｅｒｍａ  ｃｏｏｐｅｒｉ）、デロスペルマ・ヌビゲナム（Ｄｅｌｏｓｐｅｒｍａ  ｎｕｂｉｇｅｎｕｍ）、デロスペルマ・クンジェスタム（Ｄｅｌｏｓｐｅｒｍａ  ｃｏｕｎｇｅｓｔｕｍ）、デロスペルマ・エスターフィセニア（Ｄｅｌｏｓｐｅｒｍａ  ｅｓｔｅｒｈｕｙｓｅｎｉｓａ）、デロスペルマ・フロリバンダム（Ｄｅｌｏｓｐｅｒｍａ  ｆｌｏｒｉｂｕｎｄｕｍ）、姫マツバギク（Ｄｅｌｏｓｐｅｒｍａ  ａｂｅｒｄｅｅｎｅｎｓｅ）、及びデロスペルマ・ジョンプロフィット（Ｄｅｌｏｓｐｅｒｍａ  ’Ｊｏｈｎ  Ｐｒｏｆｆｉｔｔ’）の少なくとも一つの品種を用いた交配個体から突然変異個体を得て、当該突然変異個体を用いた交配・選抜過程を経て作成した品種系統Ａ、又は少なくとも片親に当該系統品種Ａを利用して交配によって作成された品種及びその子孫（後代系統）である。ここで、これらのデロスペルマの原種は基本的にお互いに交配可能であり子孫を残すことができる。交配は、同一個体間の交雑である自家受粉でも良いし、異なる個体間の交雑である他家受粉でも良い。自家受粉では、例えば、一方が同一個体における雌しべ、他方が同一個体における花粉となる。また、一方の親系統が本実施の形態１に係るデロスペルマであって、他方の親系統が交配可能で子孫が得られるデロスペルマの品種であればよい。
【００３８】
また、本実施の形態１に係るデロスペルマは、米国植物特許第２３，４５２号；系統名｀Ｊｅｗｅｌ  ｏｆ  Ｄｅｓｅｒｔ  Ｒｏｓｅｑｕａｒｔｓ｀、米国植物特許第２３，４５３号；系統名｀Ｊｅｗｅｌ  ｏｆ  Ｄｅｓｅｒｔ  Ｒｕｂｙ｀、米国植物特許第２３，４７１号；系統名｀Ｊｅｗｅｌ  ｏｆ  Ｄｅｓｅｒｔ  Ｇａｒｎｅｔ｀、米国植物特許第２３，４９１号；系統名｀Ｊｅｗｅｌ  ｏｆ  Ｄｅｓｅｒｔ  Ｍｏｏｎ  Ｓｔｏｎｅ｀、米国植物特許第２３，４９２号；系統名｀Ｊｅｗｅｌ  ｏｆ  Ｄｅｓｅｒｔ  Ｔｏｐａｚ｀、米国植物特許第２３，５６６号；系統名｀Ｊｅｗｅｌ  ｏｆ  Ｄｅｓｅｒｔ  Ｐｅｒｉｄｏｔ｀、米国植物特許第２５，５７２号；系統名｀ＷＯＷＤＲＷ５｀、米国植物特許第２５，５９９号；系統名｀ＷＯＷＤＲＷ７｀、米国植物特許第２５，６００号；系統名｀ＷＯＷＤＯＹ３｀、米国植物特許第２５，６４５号；系統名｀ＷＯＷＤＡＹ２｀、米国植物特許第２５，６８４号；系統名｀ＷＯＷ２０１１−１｀、米国植物特許第２６，１５７号；系統名｀ＷＯＷＤＲＹ１｀、米国植物特許第２７，０１３号；系統名｀ＤＳＡＭ１３−１｀、米国植物特許第２７，０１４号；系統名｀ＤＳＡＡ１３−１｀、及び米国植物特許第２７，０５６号；系統名｀ＤＳＡＢ１３−１｀、の少なくとも一つの品種を用いた交配個体から突然変異個体を得て、当該突然変異個体を用いた交配・選抜過程を経て作成した品種系統Ｂ、又は少なくとも片親に当該系統品種Ｂを利用して交配によって作成された品種及びその子孫であっても良い。
【００３９】
本実施の形態１に係るデロスペルマの生産方法・育種方法は、夜間となっても、所定温度以上であれば、その開花状態を維持できる開花特性を有するデロスペルマを、少なくとも一方の親系統に使用すればよく、その他の条件や工程は何ら制限されるものではない。また、本願発明には、上記特徴を有するデロスペルマを生産・育種するための方法（いかなる種類の選抜ステップ・交配ステップをも含む）であって、その方法によって得られたデロスペルマの植物体（ｐｒｏｄｕｃｔ  ｂｙ  ｐｒｏｃｅｓｓ）が含まれることは言うまでもない。
【００４０】
デロスペルマの繁殖は、自然または計画的栽培のいずれにしても、種子、挿し木、及び取り木などによって可能である。本実施の形態１に係るデロスペルマは、当該特徴を有するデロスペルマの品種の花粉、卵子、細胞、ＤＮＡ及びＲＮＡの遺伝子のいずれかを利用して再生して得られても良い。すなわち、デロスペルマの植物の再生可能なあらゆる部分を用いることができ有性生殖に限られず無性生殖でもよい。また、本実施の形態１の説明において「植物」には、例えば、器官、組織、細胞または栄養繁殖体等が含まれ、当該器官には、例えば、花弁、花冠、花、葉、種子、果実、茎、根などが含まれるものである。
【００４１】
本実施の形態１に係るデロスペルマは、以下の特徴が、再現して観察されている。すなわち、第一の特徴として、夜間となっても、所定温度以上であれば、その開花状態を維持でき、当該所定温度は１５℃であるという開花特性を有し、その結果、一日のうちの開花時間が従来のデロスペルマより飛躍的に長くなる特徴を有する。さらに、当該所定温度は１２．５℃、好ましくは１０℃、より好ましくは５℃である。これらの特徴、及びこれら特徴の組み合わせは、デロスペルマの新品種として、従来のデロスペルマの品種とは明確に区別されるものである。一方、従来品種のデロスペルマは、地域によっても違うが通常は夏季シーズンでも、十分な光の強さと温度がある朝９時ごろから夕方３時ごろまでしか花が開かず、その後は花が閉じてしまうため、本実施の形態１の特性を遺伝的に固定したデロスペルマ１は全く新しい品種となる。
【００４２】
ここで、デロスペルマの開花状態を維持するための所定温度が５℃〜１５℃となる意義に関して説明する。例えば東京ではペチュニア、バーベナなどの夏期に開花する品目（クロップ）を中心とした夏期園芸シーズンは一般に４月〜１０月とされる。デロスペルマは寒さに強く宿根草であるが、開花は主に春から秋までの為、夏期園芸シーズンに主に楽しまれる。そして、例えば、２０１５年の東京の最低気温は４月が１４．５℃Ｃ、１０月が１８．４℃である（具体的データとしては、１月５．８℃、２月５．７℃、３月１０．３℃、４月１４．５℃、５月２１．１℃、６月２２．１℃、７月２６．２℃、８月２６．７℃、９月２２．６℃、１０月１８．４℃、１１月１３．９℃、１２月９．３℃）。これらは一般的な東京の最低気温を概ね示すものでもある。ロサンゼルス（アメリカ）も園芸シーズンの最低気温は東京と近似し、比較的涼しい地域、例えばアムステルダム（オランダ）やシアトル（アメリカ）でも最低気温は１０℃程度となる。
【００４３】
即ち、暖かい地域の夏期園芸シーズン中に最低気温が１５℃より低くなる事は稀である。この為、５〜１５℃以上において花が開いた状態を維持するデロスペルマ１は、東京やロサンゼルスなどにおいては夏期シーズン中は大部分の期間、花が開いたままの状態となる。さらには、夜間や曇りの日にも花が閉じる事がほとんどなく、より長い花の開花時間を維持した高いパフォーマンスを消費者に提供できるという意義を有する。
【実施例】
【００４４】
次に、実施例を用いて本実施の形態１に係るデロスペルマを詳細に説明するが、本発明は、実施例に記載された態様に限定されるものではない。【００４５】
＜実施例１＞
本願発明に係るデロスペルマの新品種は、岡山県の農場で、発明者によって指導されコントロールされた育種プログラムによって発明された。この育種プログラムの目的は、従来のデロスペルマが有していない開花生理を有し、より具体的には、開花時間のより長いデロスペルマの新たな栽培種を育種することである。なお、本実施の形態１に係る新品種のデロスペルマの栽培条件は、特に一の栽培条件に制限されるものではなく、いわゆるデロスペルマが育成可能な栽培条件であればよい。【００４６】
まず最初に、発明者所有デロスペルマの系統名が｀Ｊｅｗｅｌ  ｏｆ  Ｄｅｓｅｒｔ  Ｒｏｓｅｑｕａｒｔｓ｀、｀Ｊｅｗｅｌ  ｏｆ  Ｄｅｓｅｒｔ  Ｒｕｂｙ｀、｀Ｊｅｗｅｌ  ｏｆ  Ｄｅｓｅｒｔ  Ｇａｒｎｅｔ｀、｀Ｊｅｗｅｌ  ｏｆ  Ｄｅｓｅｒｔ  Ｍｏｏｎ  Ｓｔｏｎｅ｀、｀Ｊｅｗｅｌ  ｏｆ  Ｄｅｓｅｒｔ  Ｔｏｐａｚ｀、｀Ｊｅｗｅｌ  ｏｆ  Ｄｅｓｅｒｔ  Ｐｅｒｉｄｏｔ｀、｀ＷＯＷ（Ｗｈｅｅｌｓ  ｏｆ  Ｗｏｎｄｅｒ）ＤＲＷ５｀、｀ＷＯＷＤＲＷ７｀、｀ＷＯＷＤＯＹ３｀、｀ＷＯＷＤＡＹ２｀、｀ＷＯＷ２０１１−１｀、｀ＷＯＷＤＲＹ１｀、｀ＤＳＡＭ１３−１｀、｀ＤＳＡＡ１３−１｀、及び｀ＤＳＡＢ１３−１｀の中から選んだ品種から得た交配種子を約２，０００粒播種し、岡山県勝田郡の発明者の自宅周辺の温室で通常の方法で栽培し、その個体と発明者の持つ無名実生も含めて種々の組み合わせの交配を３世代程度繰り返したところ、突然変異個体であって、１の類のない植物として、発明者の試験場において、夕方遅くになり低照度、低温となっても開花状態を維持するデロスペルマの１株が突然得られた。【００４７】
次に、この株から得られた子孫を元に選抜群を作り、その選抜群に属する品種での交配・選抜を繰り返すことにより、より夕方遅くなり低照度、低温となっても開花状態を維持できる、すなわち開花時間の長いデロスペルマの植物体の系統が得られた。より具体的には、図７に示すように、（１）デロスペルマ｀ＷＯＷＤＲＷ５｀などを用いた交配品種から突然得られた突然変異により突然現れた、交配親品種より開花時間のより長い品種を用いて交配をする。（２）次に、その品種から種子を取り、育てて開花時間がより長いものの選抜群を作り、これを用いて交配をして、更に開花時間が長い品種を選ぶという事を何世代も繰り返し開花時間が長いという性質を徐々に強めていく（交配と選抜の繰り返し）。なお、種子から育てた場合、次世代で開花時間の長い品種の割合は、１割に満たない時もあり、又は３割以上の時も時にあってまちまちである。そして、ある程度開花時間が長い状態まで進んだ段階で、突然、夜間となっても、所定温度以上であれば、その開花状態を維持でき、当該所定温度は１５℃、さらに１２．５℃、好ましくは１０℃、より好ましくは５℃である開花特性を有するデロスペルマの品種が得られた。（３）更に何世代もかけて、目的（夜間においても所定温度以上あれば開花状態を維持する）の性質の品種を選ぶ作業を繰り返し遺伝的に固定した。つまり、その品種を利用する（交配親に使う）と数世代で目的の性質を持つ品種が必ず少数ながら得られることとなった（つまりは反復可能性を有する）。【００４８】
このように、本実施の形態１に係るデロスペルマにおいては、同一の育種手段を繰り返せば確実に同一結果を再現できる「反復可能性」、及び従来の植物と特性（開花生理）で明らかに相違している。また、発明者は、既に、最初に得られた開花時間の長い品種を利用して、１００個以上の異なる種類の開花時間の長い品種を得ており、これも再現性を有していることを示している。【００４９】
＜実施例２＞
次に、交配実験を行った。つまり、本実施の形態１に係る特徴を有するデロスペルマを栽培し、その雌しべに夕方になると花を閉じる通常のデロスペルマ雄蕊の葯の花粉を付着させた。そのまま種子ができるまで栽培し、その種子を播種し、栽培した。その結果、交配して得られる品種か、次世代（孫の世代）か、その次の次の世代に得られる品種の中に夜間となっても、所定温度以上であれば、その開花状態を維持でき、当該所定温度は１５℃、さらに１２．５℃、好ましくは１０℃、より好ましくは５℃である開花特性を有するデロスペルマの新品種が得られた。ここで、新品種の割合は、１割に満たない時もあり、又は３割以上の時も時にある。【００５０】
つまり、本実施の形態１に係る開花時間の長いデロスペルマに、交雑可能であり子孫を得ることが可能な市販品種の花粉を受粉させることにより、後代系統において開花時間の長い形質を有するデロスペルマを作り出すことができ、反復可能性を示すことができた。このように、本実施例２では、開花時間が長いという特徴を有するデロスペルマの品種を利用する（交配親に使う）と後代系統において目的の性質を持つ品種が必ず得られるようになった。【００５１】
＜実施例３＞
次に、図８〜図１０を参照して、実際に得られた夜間になっても所定温度以上であれば開花状態を維持するデロスペルマに関して説明する。なお、以下の実施例におけるデロスペルマの開花生理に関する実験は、図８に示すような「バイオトロン」と呼ばれる生物環境調節装備実験室で行った。このバイオトロン（高さ２ｍ、幅２．５ｍ、奥行き５ｍ及び高さ２．５ｍ、幅１．２ｍ、奥行き１．２ｍ）では、温度、光など、植物の生存と繁殖に必要な基本条件を人工的に調節して生物の研究を行うことができるようにしている。また、例えば、図８（ｆ）に示すように、バイオトロンで夜間を再現した際の照度は、０．１ルクスとなった。【００５２】
なお、図９に示すように、左と右は同じ品種で右の植物は十分育ち充実しているが、左の植物はまだ小さく十分育っていない。この場合、同じ温度でも右のデロスペルマは花１ａが開く一方、左のデロスペルマは花１ｂが開かないという事が起こる。例えば、デロスペルマの花１ａは、デロスペルマの花１ｂより３℃程度低い温度でも開花することもある。このため、開花生理に関する評価は十分育った充実した植物で行う必要性がある。【００５３】
本実施例３は、図１０に示すように所定温度以上あれば「低照度になっても花を閉じない遺伝子」を有しているデロスペルマに関し、具体的には、照度が１ルクス以下にまで減少しても１５℃以上であれば開花状態を維持（花が閉じることがない）する。【００５４】
図１０（ａ）〜図１０（ｃ）に示す場合、一部の花１ｃは開いているが、他の花１ｄは閉じているのが往々にして見受けられた。具体的には、図１０（ｄ）の表に示すように、図１０（ａ）では開花状態の花数／全花数が７／２１となり、夜間でも開花状態を維持する花の割合（開花割合）は３３％となる。また、図１０（ｂ）は開花状態の花数／全花数が９／１８となり、夜間でも開花状態を維持する花の割合（開花割合）は５０％となる。また、図１０（ｃ）は開花状態の花数／全花数が１２／１５となり、夜間でも開花状態を維持する花の割合（開花割合）は８０％となる。【００５５】
これは、デロスペルマの一般的な特徴であるが一般的に、花の咲き始めは低温では開花状態を維持しにくいが、寿命に近づく後半は開花状態を維持しやすくなる性質があるためである。例えば、１つの花の寿命は約１４日程度とした場合、夜間になっても、前半の７日程度は花が閉じた状態となりやすく、後半の７日程度は花が開いた状態となりやすい。すなわち、花の寿命を経過した方の花を古い花とした場合、当該古い花の方がその開花状態を維持しやすく、開花状態を維持する花の割合は、デロスペルマ一株が有する花数の内の古い花の割合に応じて変化する。このため、一つの株の中で同じ温度でも開いている花と閉じている花が生まれる。そして、古い花と新しい花の割合は、その時の環境や管理方法で変わることがあるが、デロスペルマの管理として望ましい環境で管理した場合、花が開きやすい後半１週間に当たる花の割合は３割以上となる。この結果から、本願発明において、開花状態を維持する花の割合は、デロスペルマ一株における花数の内の少なくとも２割以上、より好ましくは４割以上の花ともいうことができる。なお、花の寿命は温度や、湿度、雨に濡れるなどの影響で短くなったり長くなったりするものである。【００５６】
＜実施例４＞
次に、図１１〜図１４を参照して、バイオトロンを用いて実際に得られた夜間になっても所定温度以上であれば開花状態を維持するデロスペルマの実施例に関して説明する。【００５７】
図１１〜図１３に示すはデロスペルマは同じものであり、図１１は夜間の１５℃で開花状態を維持しているデロスペルマ１ｅ、図１２は夜間の１０℃で開花状態を維持しているデロスペルマ１ｆ、図１３は夜間の５℃で開花状態を維持しているデロスペルマ１ｇである。【００５８】
図１１に示す１５℃環境下でのデロスペルマの花１ｅの場合、花弁の寿命が終わった花、蕾の花を除いて、条件が整えば夜間においても開くべき花が全て開いていることが観察できる。温度をこのままの状態で下げた図１２に示す１０℃環境下でのデロスペルマの花１ｆの場合、夜間においても一定割合以上の花が開花状態を維持しているが、開花割合が減少している。図１３に示すデロスペルマの花１ｇでは、さらに温度を５℃にまで下げている。この場合、完全に開いている花は無くなり、完全に閉じている花とわずかに３０％から５０％程度の開度で開いている花だけになっている。なお、上述のようにおおよそ５０％以上の開度の花を開花状態としている。【００５９】
これらからも分かるように、所定温度が低下するに伴って、デロスペルマ―株が有する花数の内で、その開花状態を維持できる花の割合が減少する。そして、あまりに温度が下がると全ての花がほとんど閉じる。これは、デロスペルマは一般に温度が下がっていくと（花弁の寿命が終わった花、蕾の花を除いて）最初に新しい花が閉じる。すなわち、花は新しい花から順番に閉じてゆき、最後に古い花が閉じていくためと解される。【００６０】
なお、図１４に示すように、更に温度が下がる（５℃以下）と古い花も含めた全ての花が閉じてしまう。但し、一度開いた花は特に古い花１ｈについてはわずかに開いていることもある。【００６１】
＜実施例５＞
次に、図１５を参照して、夜間になって、且つ５℃以下であっても、少なくともその一部の花が開花状態を維持するデロスペルマに関して説明する。図１５の花１ｉに示すように、５℃以下であっても一部の古い花が開花状態を維持することがある。但し、その開花割合は非常に低くなる時もあり、中には全ての花が閉じる場合もある。【００６２】
次に、本実施の形態１に係るデロスペルマの根の部分に関して図１６及び図１７を用いて説明する。というのも、本実施の形態１に係るデロスペルマは、デロスペルマとして挙げられるサザラン（Ｄｅｌｏｓｐｅｒｍａ  ｓｕｔｈｅｒｌａｎｄｉｉ）や花長谷（Ｄｅｌｏｓｐｅｒｍａ  ａｓｈｔｏｎｉｉ）とは根の部分が明確に異なるためである。【００６３】
本実施の形態１に係るデロスペルマは、その根が細かくなり、塊根性とはならないことも特徴である。一方、図１６（ｂ），（ｃ）、図１７（ｂ）に示すように、サザラン３（Ｄｅｌｏｓｐｅｒｍａ  ｓｕｔｈｅｒｌａｎｄｉｉ）や花長谷４（Ｄｅｌｏｓｐｅｒｍａ  ａｓｈｔｏｎｉｉ）は、その根が塊根状となり、栄養と水分を貯えるためのニンジンのような大きな塊根３ａ，４ａ（いも）を作る。しかしながら、本実施の形態１に係るデロスペルマとは明らかに根の部分の構造が異なる。【００６４】
また、本実施の形態１に係るデロスペルマと、サザラン３との交配実験をしたが、上手くハイブリッド個体を得ることはできなかった。つまり、本実施の形態１に係るデロスペルマは、分類学上はサザラン３や花長谷４と同属となっているが、容易に交配はできず、根の特徴が上述のように明らかに異なる。すなわち、本実施の形態１に係るデロスペルマは、サザラン３や花長谷４などの塊根性のデロスペルマの遺伝子は一切利用していないものである。【００６５】
以上の説明のように、本実施の形態１に係るデロスペルマ１は、夜間となっても、所定温度以上であれば、その開花状態を維持でき、当該所定温度は１５℃、さらに１２．５℃、好ましくは１０℃、より好ましくは５℃である開花特性を有する。この結果、従来のデロスペルマとは異なり、花が温度や日射量などの天候に左右される事がなく開花した状態を維持でき、店頭での販売中に花が閉じることがない。このため、従来品種と異なり、非常に商品価値のある新品種のデロスペルマを提供することができる。なお、上述した本実施の形態１に係るデロスペルマの開花生理以外の特徴であるデロスペルマの形質的、生態的特徴などは特に限定されるものではないことに留意されたい。【００６６】
（実施の形態２）
以下、本発明に係るデロスペルマの実施の形態２を、図１８及び図１９を参照しながら説明する。【００６７】
本実施の形態２に係るデロスペルマは、以下の特徴が、再現して観察されている。すなわち、本実施の形態２に係るデロスペルマは、開花時間が長いという特徴に加えて、葯を有した雄蕊がないという特徴を有する。一方、従来のデロスペルマの品種は、通常数十の雄蕊を有している。従って、開花時間が長い性質を有し、且つ葯を有する雄蕊を全くもっていない本実施の形態２に係るデロスペルマは全く新しい特徴を持つ新品種である。というのも、受粉をすると花は閉じやすくなるため、長い開花時間を保つには受粉できないようにする必要性がある。そして、これらの特徴、及びこれら特徴の組み合わせは、デロスペルマの新品種として、従来のデロスペルマの品種とは明確に区別されるものである。【００６８】
図１８及び図１９は、夜間になっても開花状態を維持し、且つ雄蕊の無いデロスペルマ５を示す。このデロスペルマ５では、雄蕊が全て花弁（ペタル）５ａ又は小花弁（ペタロイド）５ｂに変化・発達していることが分かる。従って、本実施の形態２に係るデロスペルマ５は、雄性不稔であることから長い開花時間を保つことができるのみではなく、種子ができにくく一株に対する花の開花数が多くなるという特徴を有する。この結果、商品価値がより高いデロスペルマの新品種になる。【００６９】
なお、上述した本実施の形態２に係るデロスペルマの開花時間、雄性不稔以外の特徴、例えば、デロスペルマの形質的、生態的特徴などは特に限定されるものではないことに留意されたい。【００７０】
＜実施例＞
次に、実施例を用いて本実施の形態２に係るデロスペルマを詳細に説明するが、本発明は、実施例に記載された態様に限定されるものではない。【００７１】
上述の実施の形態１における実施例のように、１）突然変異により突然現れた、交配親品種より開花時間の長い品種を用いて交配し、２）次に、その品種から種子を取り、育ててより開花時間の長い品種による選抜群を作り、これを用いて交配をして、更に開花時間の長い品種を選ぶという事を何世代も繰り返し開花時間が長いという性質を徐々に強めていく（交配と選抜の繰り返し）。そして、本実施例では、この選抜工程で、開花時間が長いという特性以外に、その他の特性による選抜を行う。その特性として、雄蕊のない（もしくは少ない）デロスペルマ品種の選抜を行った。【００７２】
このデロスペルマの植物体は、雄蕊のない雄性不稔の形質も有し、葯がなく、いずれも外部から花粉を持ち込まない限り種子ができず、種子を生じにくいという形質が観察された。【００７３】
なお、このデロスペルマは挿し芽などにより増殖（無性生殖）できる。挿し芽の方法は当業者に周知の方法で行った。例えば、デロスペルマから切断された組織を得て、有効な条件下で、切断した組織を、根と芽とを有する小植物体を生産するために培養して、小植物体を成長させる。また、新しく伸びかけた芽の中から１ミリくらいの生長点を取り出し、無菌の培養基の中で増やすメリクロン手法を用いて増殖しても構わない。【００７４】
以上の説明のように、本実施の形態２に係るデロスペルマ５では、夜になつても所定温度以上で開花状態を維持するなど開花時間が従来の品種より非常に長く、且つ雄蕊がない。この結果、開花時間を長く保つことができ、また、種子ができにくく一株当たりでの花の開花数が多く、さらにコンパクトにまとまった草姿となり、非常に商品価値のある新たな品種のデロスペルマとなる。【００７５】
（実施の形態３）
以下、本発明に係るデロスペルマの実施の形態３を説明する。本実施の形態３に係るデロスペルマは、雌しべに生殖能力が無く、本来受粉が成立する花粉を受けても受粉する事なく種子ができないデロスペルマである。一般的に、近親交配を避けるために雌しべが自家の花粉を受け付けない自家不和合性は知られている。しかしながら、本実施の形態３に係るデロスペルマは、その雌しべが花粉を内部から受けても（自家受粉）、また外部から受けても（他家受粉）種子ができない、すなわち、雌しべが自家及び他家からの花粉を受けても種子ができない雌性不稔の性質を有する。この結果、一株に対する花の開花数が多くなり、商品価値がより高いデロスペルマの新品種になる。なお、上記実施の形態２に係るデロスペルマでは、雄蕊に花粉がないが雌しべに受粉能力がある場合があり、何かの都合で外部から花粉が来ると種子をつける可能性がある。一方、本実施の形態３に係るデロスペルマは、雌性不稔であり、雌しべに受粉能力がないのでどのような花粉を受けても種子ができることはない。【００７６】
そして、このような雌性不稔性質も突然変異で生じた性質であり、交配と選抜を何世代かに亘って繰り返すことによりその性質を高めて、固定したものである。発明者の試験場においてこの性質は２世代先（孫の代）で再現（例えば１割程度）できている。【００７７】
なお、本発明は、上記実施の形態の構成に限られず、発明の趣旨を変更しない範囲で種々の変形が可能である。例えば、上記実施の形態に係るデロスペルマを、花色の異なる品種と交配することにより、上述のような開花生理を有して且つ種々の色の異なるデロスペルマの品種を育種することもできる。【００７８】
さらに、将来的には、本願発明の開花生理、雄蕊を持たない、又は雌性不稔に関わるＤＮＡ又はＲＮＡなどの遺伝子を切り出し、切り出したＤＮＡ又はＲＮＡなどの遺伝子を他の細胞に組み込む。そして、本願発明の上記特徴に関わるＤＮＡ又はＲＮＡを持つ植物を再生して当該特徴を持つデロスペルマ以外の植物を作り出すことも考え得る。
【符号の説明】
【００７９】
１，５  デロスペルマ
１ａ〜１ｉ  花
３ａ，４ａ  塊根
５ａ  花弁（ペタル）
５ｂ  小花弁（ペタロイド）
【要約】
本発明に係るデロスペルマ１は、夜間となっても、所定温度以上であれば、その開花状態を維持でき、当該所定温度は例えば１５℃である。このような開花生理を有する結果、本発明のデロスペルマ１は、開花時間が従来のデロスペルマと比べて飛躍的に長くなる。【図１】
0006288750.tif 000002
【図２】
0006288750.tif 000003
【図３】
0006288750.tif 000004
【図４】
0006288750.tif 000005
【図５】
0006288750.tif 000006
【図６】
0006288750.tif 000007
【図７】
0006288750.tif 000008
【図８】
0006288750.tif 000009
【図１０】
0006288750.tif 000010
【図９】
0006288750.tif 000011
【図１１】
0006288750.tif 000012
【図１２】
0006288750.tif 000013
【図１３】
0006288750.tif 000014
【図１４】
0006288750.tif 000015
【図１５】
0006288750.tif 000016
【図１６】
0006288750.tif 000017
【図１７】
0006288750.tif 000018
【図１８】
0006288750.tif 000019
【図１９】
0006288750.tif 000020
【図２０】
0006288750.tif 000021